(57)【要約】【課題】蓄光材により長時間に亘って十分な輝度を維持することができるとともに、耐久性にも優れた路面用標示体及びその製造方法を提供する。【解決手段】発光部１２を塗料層１１の表面に複数の所定範囲ごとに互いに間隔をおいて設けたので、蓄光材１４ａが塗料層１１の表面全体に分散することがなく、各発光部１２ごとに残光輝度を高めることができる。これにより、蓄光材１４ａにより長時間に亘って十分な輝度を維持することができ、例えば田舎道や山道等、照明灯が設置されていない場所のみならず、都会での停電や災害時においても、夜間の安全性を高めることができる。また、各発光部１２を塗料層１１に埋設されるように形成したので、各発光部１２を塗料層１１に確実に固定することができ、耐久性の向上を図ることができる。【選択図】図５
2008163560.tif 000002
【特許請求の範囲】
【請求項１】
道路等の路面上に所定の色で平面状に形成された塗料層と、塗料層の表面に形成され、蓄光材を含む発光部とを備えた路面用標示体において、
前記発光部を塗料層の表面側に複数の所定範囲ごとに互いに塗料層の表面に沿って間隔をおいて設けるとともに、各発光部を塗料層に埋設されるように形成した
ことを特徴とする路面用標示体。
【請求項２】
ガラス材を含むガラス層と、蓄光材を含む蓄光層と、接着剤からなる接着層とを塗料層の表面側から順に積層して発光部を形成した
ことを特徴とする請求項１記載の路面用標示体。
【請求項３】
前記ガラス層に所定の色で着色されたガラス材を用いた
ことを特徴とする請求項１または２記載の路面用標示体。
【請求項４】
前記各発光部がそれぞれ形成される範囲を多角形状に形成した
ことを特徴とする請求項１、２または３記載の路面用標示体。
【請求項５】
道路等の路面上に所定の色で平面状に形成された塗料層と、塗料層の表面に形成され、蓄光材を含む発光部とを備えた路面用標示体の製造方法において、
蓄光材を含む発光部をシート状の仮保持部材の表面に複数の所定範囲ごとに互いに仮保持部材の表面に沿って間隔をおいて形成した後、
仮保持部材に保持された発光部を塗料層の表面側に埋設されるように固着して仮保持部材を発光部から剥離する
ことを特徴とする路面用標示体の製造方法。
【請求項６】
前記塗料層を熱で軟化させた状態で仮保持部材を塗料層側に加圧することにより発光部を塗料層の表面に固着させる
ことを特徴とする請求項５記載の路面用標示体の製造方法。
【請求項７】
前記発光部をスクリーン印刷により仮保持部材の表面に形成する
ことを特徴とする請求項５または６記載の路面用標示体の製造方法。
【請求項８】
可溶性の表面層を有する仮保持部材の表面に発光部を形成し、
仮保持部材の表面層を溶融することにより発光部を仮保持部材から剥離する
ことを特徴とする請求項５、６または７記載の路面用標示体の製造方法。
【請求項９】
前記仮保持部材の表面層に水溶性の材料を用いる
ことを特徴とする請求項８記載の路面用標示体の製造方法。
【発明の詳細な説明】
【技術分野】
【０００１】
本発明は、例えば道路のセンターラインや通行区分ライン等に用いられる路面用標示体及びその製造方法に関するものである。
【背景技術】
【０００２】
一般に、道路のセンターラインや通行区分ライン等の路面用標示体は、白色または黄色に着色され、道路を通行する車両や歩行者を案内するものであるが、この種の路面用標示体に用いられる塗料は発光性を有しないため、夜間は自動車の運転者や歩行者による視認性を低下させていた。例えば、田舎道や山道等、照明灯が設置されていない場所のみならず、都会であっても停電や災害時には街路灯の照明が得られなくなるため、夜間での安全性を確保することが困難であった。
【０００３】
そこで、粒状の蓄光材とガラス材とを混合したものを路面用標示体の表面に散布して蓄光層を形成することにより、日中の太陽光、夜間の街路灯、車両のヘッドライト等により蓄光し、路面用標示体の表面を蓄光材により発光させるようにしたものが知られている（例えば、特許文献１参照）。
【特許文献１】特開平１１−１２４８１７号公報
【発明の開示】
【発明が解決しようとする課題】
【０００４】
しかしながら、前記従来例では、蓄光材を路面用標示体の表面に散布して蓄光層を形成するようにしているため、蓄光材が分散して残光の視認性が低く、長時間に亘って十分な輝度を維持することができないという問題点があった。また、蓄光材を路面用標示体の表面に散布して固着しただけでは、車両のタイヤとの摩擦等により蓄光材が剥がれ易く、耐久性に劣るという問題点もあった。
【０００５】
本発明は前記問題点に鑑みてなされたものであり、その目的とするところは、蓄光材により長時間に亘って十分な輝度を維持することができるとともに、耐久性にも優れた路面用標示体及びその製造方法を提供することにある。
【課題を解決するための手段】
【０００６】
本発明は前記目的を達成するために、道路等の路面上に所定の色で平面状に形成された塗料層と、塗料層の表面に形成され、蓄光材を含む発光部とを備えた路面用標示体において、前記発光部を塗料層の表面側に複数の所定範囲ごとに互いに塗料層の表面に沿って間隔をおいて設けるとともに、各発光部を塗料層に埋設されるように形成している。
【０００７】
これにより、発光部が塗料層の表面側に複数の所定範囲ごとに互いに間隔をおいて設けられることから、蓄光材が塗料層の表面全体に分散することがない。また、発光部が塗料層に埋設されることから、発光部が塗料層に確実に固定される。
【０００８】
また、本発明は前記目的を達成するために、道路等の路面上に所定の色で平面状に形成された塗料層と、塗料層の表面に形成され、蓄光材を含む発光部とを備えた路面用標示体の製造方法において、蓄光材を含む発光部をシート状の仮保持部材の表面に複数の所定範囲ごとに互いに仮保持部材の表面に沿って間隔をおいて形成した後、仮保持部材に保持された発光部を塗料層の表面側に埋設されるように固着して仮保持部材を発光部から剥離するようにしている。
【０００９】
これにより、発光部が塗料層の表面側に複数の所定範囲ごとに互いに間隔をおいて設けられることから、蓄光材が塗料層の表面全体に分散することがない。また、発光部が塗料層に埋設されることから、発光部が塗料層に確実に固定される。更に、仮保持部材に保持された発光部を塗料層の表面側に固着した後、仮保持部材を発光部から剥離するようにしているので、予め形成しておいた発光部を道路等の施工現場で容易に塗料層に固着することができる。
【発明の効果】
【００１０】
本発明によれば、蓄光材が塗料層の表面全体に分散することがなく、各発光部ごとに残光輝度を高めることができるので、蓄光材により長時間に亘って十分な輝度を維持することができ、例えば田舎道や山道等、照明灯が設置されていない場所のみならず、都会での停電や災害時においても、夜間の安全性を高めることができる。また、各発光部を塗料層に確実に固定することができるので、耐久性の向上を図ることができる。更に、予め形成しておいた発光部を道路等の施工現場で容易に塗料層に固着することができるので、現場での作業性を格段に向上させることができる。
【発明を実施するための最良の形態】
【００１１】
図１乃至図５は本発明の一実施形態を示すもので、図１は路面用標示体が設けられた道路を示す斜視図、図２は路面用標示体の部分平面図、図３は路面用標示体の部分拡大側面図、図４及び図５は路面用標示体の製造工程を示す側面断面図図である。
【００１２】
この路面用標示体は、道路の路面１に平面状に設けられ、例えば道路のセンターライン２、通行区分ライン３、車両停止線４、横断歩道５等として用いられる。
【００１３】
本実施形態の路面用標示体１０は、路面１上に所定の色で平面状に形成される塗料層１１と、塗料層１１に埋設される多数の発光部１２とからなり、各発光部１２によって塗料層１１の表面が発光するようになっている。
【００１４】
塗料層１１は白色、黄色等の所定色の塗料に樹脂を混合してなり、所定温度（例えば２００℃以上）に加熱して溶融した状態で周知の工法により路面１に塗布される。
【００１５】
各発光部１２は、ガラス層１３、蓄光層１４及び接着層１５からなり、それぞれ六角形状の所定範囲ずつ互いに塗料層１１の表面に沿って間隔をおいて配置される。ガラス層１３はガラスビーズからなるガラス材１３ａと樹脂とからなり、発光部１２の最上層に配置される。蓄光層１４は蓄光材１４ａと樹脂とからなり、ガラス層１３の下方に配置される。蓄光材１４ａは、例えばアルミン酸ストロンチウムＳｒＡｌ2Ｏ4を主成分とする周知の蓄光材をガラス材で被覆した粒状のものからなり、外部の光を吸収して暗中で発光するようになっている。接着層１５は周知の接着剤からなり、蓄光層１４の下方に配置される。
【００１６】
次に、前記路面用標示体１０の発光面形成方法を説明する。まず、図３(a) に示すように仮保持部材１６（例えば厚紙）の一方の面に水溶性の表面層１６ａ（例えばデキストリン）を形成したものを用意し、図３(b) に示すように仮保持部材１６の上にガラス層１３の溶融樹脂をスクリーン印刷により印刷した後、その上にガラス材１３ａを散布して所定の厚さ（例えば１５０μ〜３００μ）のガラス層１３を形成する。その際、黄色の塗料層１１の場合は、黄色の顔料で着色されたガラス材１３ａをガラス層１３に用いる。次に、図３(c) に示すようにガラス層１３の上に蓄光層１４の溶融樹脂をスクリーン印刷により印刷した後、その上に蓄光材１４ａを散布して所定の厚さ（例えば１００μ〜５００μ）の蓄光層１４を形成する。続いて、図３(d) に示すように蓄光層１４の上に接着層１５の接着剤をスクリーン印刷により印刷して接着層１５を形成する。
【００１７】
この後、図４(a) に示すように路面１に形成された塗料層１１に、仮保持部材１６に保持された発光部１２を固着する。この場合、新たに路面１に塗料層１１を形成する場合は、硬化前の軟化状態（例えば、焼き付け後５分以内）の塗料層１１に発光部１２を固着し、既設の塗料層１１に発光部１２を固着する場合は、既設の塗料層１１をバーナー等で加熱して軟化させておく。即ち、図４(b) に示すように発光部１２を保持した仮保持部材１６を発光部１２側の面が下方になるようにして硬化前の塗料層１１の表面上に載置し、仮保持部材１６を上方から加圧する。これにより、図４(c) に示すように各発光部１２の間に塗料層１１の一部が入り込み、各発光部１２が塗料層１１に埋設された状態となる。この後、仮保持部材１６を水をかけて表面層１６ａを溶融させ、図４(d) に示すように仮保持部材１６を各発光部１２から剥離することにより、塗料層１１の表面側に各発光部１２が設けられる。
【００１８】
このように、本実施形態によれば、発光部１２を塗料層１１の表面に複数の所定範囲ごとに互いに間隔をおいて設けたので、蓄光材１４ａが塗料層１１の表面全体に分散することがなく、各発光部１２ごとに残光輝度を高めることができる。これにより、蓄光材１４ａにより長時間に亘って十分な輝度を維持することができ、例えば田舎道や山道等、照明灯が設置されていない場所のみならず、都会での停電や災害時においても、夜間の安全性を高めることができる。また、各発光部１２を塗料層１１に埋設されるように形成したので、各発光部１２を塗料層１１に確実に固定することができ、耐久性の向上を図ることができる。更に、発光部１２が塗料層１１に埋設されることにより、塗料層１１の表面に凹凸を形成することなく蓄光層１４の厚さを大きくすることができる。これにより、蓄光材１４ａの量を多くしたり、或いは大粒形の蓄光材１４ａを用いることができるので、蓄光能力をより高めることができる。
【００１９】
また、ガラス材１３ａを含むガラス層１３と、蓄光材１４を含む蓄光層１４ａと、接着剤からなる接着層１５とを塗料層１１の表面側から順に積層して発光部１２を形成したので、表面側のガラス層１３によって光反射性を高めることができるとともに、ガラス層１３によって蓄光層１４ａを保護することができる。
【００２０】
更に、ガラス層１３に所定の色で着色されたガラス材１３ａを用いることにより、例えば黄色のラインの場合は黄色の発光部１２を形成することができ、昼間においても塗料層１１の本来の色が損なわれることがないという利点がある。
【００２１】
また、各発光部１２がそれぞれ形成される範囲を六角形状に形成したので、各発光部１２の間に入り込んだ塗料層１１の一部により各発光部１２を強固に固定することができ、耐久性をより向上させることができる。この場合、六角形状ににより各発光部１２の隙間を小さくすることができるので、各発光部１２を高密度に配置することができる。尚、多角形であれば、六角形以外の形状に形成するようにしてもよい。
【００２２】
更に、各発光部１２をシート状の仮保持部材１６の表面に形成した後、仮保持部材１６に保持された発光部１２を塗料層１１の表面側に埋設されるように固着して仮保持部材１６を発光部１２から剥離するようにしたので、予め形成しておいた発光部１２を道路等の施工現場で容易に塗料層１１に固着することができ、現場での作業性を格段に向上させることができる。
【００２３】
また、塗料層１１を熱で軟化させた状態で仮保持部材１６を塗料層１１側に加圧することにより発光部１２を塗料層１１の表面に固着させるようにしたので、各発光部１２の間に軟化した塗料層１１の一部を入り込み易くすることができ、発光部１２を塗料層１１により確実に固着することができる。
【００２４】
更に、発光部１２をスクリーン印刷により形成するようにしたので、発光部１２を容易に形成することができ、実用化に際して極めて有利である。
【００２５】
また、可溶性の表面層１６ａを有する仮保持部材１６の表面に発光部１２を形成し、仮保持部材１６の表面層１６ａを溶融することにより発光部１２を仮保持部材１６から剥離するようにしたので、発光部１２が仮保持部材１６の表面に残ることがなく、発光部１２を仮保持部材４から確実に分離することができる。
【００２６】
この場合、仮保持部材１６の表面層１６ａに水溶性の材料を用いるとともに、仮保持部材１６に水をかけて表面層１６ａを溶融するようにしたので、剥離作業を容易に行うことができ、生産効率の向上を図ることができる。
【図面の簡単な説明】
【００２７】
【図１】路面用標示体が設けられる道路の斜視図
【図２】本発明の一実施形態を示す路面用標示体の部分平面図
【図３】路面用標示体の部分拡大側面図
【図４】路面用標示体の製造工程を示す側面断面図図
【図５】路面用標示体の製造工程を示す側面断面図図
【符号の説明】
【００２８】
１…路面、１０…路面用標示体、１１…塗料層、１２…発光部、１３…ガラス層、１４…蓄光層、１５…接着層、１６…仮保持部材、１６ａ…表面層。
【図１】
2008163560.tif 000003
【図２】
2008163560.tif 000004
【図３】
2008163560.tif 000005
【図４】
2008163560.tif 000006
【図５】
2008163560.tif 000007